(57)【要約】【課題】手や指の姿勢状態にかかわりなく作業個所を確実に照明できるようにする。【解決手段】基本構成として手袋１０を備え、手袋１０の甲側１０ａに電源部１２と光源として機能する白色発光ダイオード１１を設け、白色発光ダイオード１１が発する光を手袋１０の甲側１０ａから掌側１０ｂに這い回された側面発光型の光出射部としての光ファイバ２１ａ〜２１ｉに入射し、掌側１０ｂに這い回された光ファイバ２１ａ〜２１ｉから光を外部に出射することで、手袋１０の掌側１０ｂの全体を発光させて作業箇所を照明できるようにした。【選択図】図２
2007154367.tif 000002
【特許請求の範囲】
【請求項１】
手袋と、
前記手袋の甲側に配置された光源と、掌側に配置された線発光又は面発光の光出射部と、前記光源が発する光を前記光出射部まで導く導光部材と、を有する照明部と、
を備えることを特徴とする照明機能付き手袋。
【請求項２】
前記導光部材及び前記光出射部は、前記手袋の甲側から掌側に回り込んで縫い込まれている側面発光型の光ファイバであることを特徴とする請求項１記載の照明機能付き手袋。
【請求項３】
前記導光部材は、前記手袋の甲側から掌側の指先及び各指の付け根部分に回り込んで当該指先及び各指の付け根部分に面発光部分を有する導光板によって形成されていることを特徴とする請求項１記載の照明機能付き手袋。
【請求項４】
手袋と、
前記手袋の掌側に配置された薄膜型面発光体によって形成された照明部と、
を備えることを特徴とする照明機能付き手袋。
【発明の詳細な説明】
【技術分野】
【０００１】
本発明は、照明機能付き手袋に係り、特に、手袋を使用中に掌側を照明することができる照明機能付き手袋に関する。
【背景技術】
【０００２】
夜間照明を使用して作業を行う場合、手の影になり作業を行うべき個所が暗くなることがある。また、作業中、損傷防止、防寒のために手袋を使用することがあり、このような場合には、手の影になる範囲がより広いものとなる。
【０００３】
このように手の影になる個所を照明するため、指や指先の部分に照明用ライトを付けた手袋が提案されている（特許文献１、特許文献２）。このような手袋によれば、作業上必要な個所を手袋に設けた照明用ライトで照らすことができる。
【０００４】
【特許文献１】特開２００４−３１６０５０公報
【特許文献２】登録実用新案第３０５７７７８号公報
【発明の開示】
【発明が解決しようとする課題】
【０００５】
しかしながら、上述したライト付の手袋の光源は、所定方向にしか光を発しないため、例えば手に工具などを掴んだような状況では、所望の個所を確実に照らすことができない場合がある。
【０００６】
本発明の目的は、手や指の姿勢状態にかかわりなく作業個所を確実に照明できるようにすることである。
【課題を解決するための手段】
【０００７】
本発明の照明機能付き手袋は、手袋と、前記手袋の甲側に配置された光源と掌側に配置された線発光又は面発光の光出射部と前記光源が発する光を前記光出射部まで導く導光部材とを有する照明部と、を備える。
【０００８】
別の面から見た本発明の照明機能付き手袋は、手袋と、前記手袋の掌側に配置された薄膜型面発光体によって形成された照明部と、を備える。
【発明の効果】
【０００９】
本発明によれば、照明光は略平面状の出射部分から発せられるから、広い範囲で手袋の掌側を照明するから、手や指の形態によることなく必要な作業個所を照明することができるという効果がある。
【発明を実施するための最良の形態】
【００１０】
本発明を実施するための最良の形態を図面に基づいて説明する。
【００１１】
本発明の第１の実施の形態を図１及び図２に基づいて説明する。図１は、照明機能付き手袋の甲側を示す模式図である。図２は、図１に示した照明機能付き手袋の掌側を示す模式図である。
【００１２】
本実施の形態の照明機能付き手袋は、基本構成として手袋１０を備え、その甲側１０ａに光源である白色発光ダイオード１１と、白色発光ダイオード１１に電力を供給する電源である乾電池、あるいは充電池を格納した電源部１２とを備える。白色発光ダイオード１１及び電源部１２は、手袋１０の甲側の手首の位置に一体的に配置されている。電源部１２は、白色発光ダイオード１１を駆動制御するための図示しない回路部を内蔵している。この回路部は、例えば、白色発光ダイオード１１の点灯を制御するための図示しないスイッチを有している。
【００１３】
手袋１０には、白色発光ダイオード１１からの光が導かれて発光する複数本の光ファイバ２１ａ〜２１ｉが織り込まれている。つまり、手袋１０の甲側１０ａには、一体化された白色発光ダイオード１１及び電源部１２の近傍に位置させて、白色発光ダイオード１１と光ファイバ２１ａ〜２１ｉとを光接続するカプラ１３，１４が設けられている。これらのカプラ１３，１４により、白色発光ダイオード１１と光ファイバ２１ａ〜２１ｉとが光接続され、白色発光ダイオード１１からの光は光ファイバ２１ａ〜２１ｉの各端面から光ファイバ２１ａ〜２１ｉに導かれる。
【００１４】
図１は、手袋１０の甲側１０ａに配置された光ファイバ２１ａ〜２１ｉの這い回しパターンを示している。このような這い回しパターンを形成する手袋１０の甲側１０ａに配置された光ファイバ２１ａ〜２１ｉには、光が側面から出射されないように塗装などの加工が施されている。そして、手袋１０の甲側１０ａに這い回された光ファイバ２１ａ〜２１ｉは、図２に示すように、掌側１０ｂに延長されてそれぞれ蛇行するように配置されている。図２に示すように、掌側１０ｂに延長された光ファイバ２１ａ〜２１ｉは、手首にまで回り込んでいる。
【００１５】
本実施の形態では、光ファイバ２１ａ〜２１ｉとして、入射した光が内部を反射しながら進む行程で、僅かずつ光を側面へ漏らすように構成された側面発光型光ファイバを使用している。これにより、光ファイバ２１ａ〜２１ｉは、手袋１０の掌側１０ｂにおいて線発光の光出射部を形成する。また、カプラ１３，１４及び光ファイバ２１ａ〜２１ｉは、光源である白色発光ダイオード１１が発する光を光出射部まで導く導光部材として機能する。そこで、本実施の形態では、白色発光ダイオード１１、カプラ１３，１４及び光ファイバ２１ａ〜２１ｉは、照明部を構成する。
【００１６】
このような構成において、白色発光ダイオード１１は、電源部１２に駆動されて発光する。白色発光ダイオード１１から発せられた光は、カプラ１３，１４を介して光ファイバ２１ａ〜２１ｉに入射され、光ファイバ２１ａ〜２１ｉの内部を光が反射しながら進行する。手袋１０の甲側１０ａに這い回された光ファイバ２１ａ〜２１ｉの部分は、光が側面から出射されないように塗装などの加工が施されているため、光が漏洩しない。これに対して、手袋１０の掌側１０ｂに這い回された光ファイバ２１ａ〜２１ｉは、光が側面から出射されないようにするための加工が施されていないため、内部を反射しながら進行する過程で僅かずつ側面に光を漏らす。これにより、手袋１０の掌側１０ｂの全面が発光するようになり、手をどのように変形させても手袋１０の掌側１０ｂを照明することができる。
【００１７】
なお、上記光ファイバ２１ａ〜２１ｉの掌側１０ｂの配置個所は、例えば指部分、掌部、手首部に限るようにするなど、必要に応じて変更することができる。
【００１８】
加えて、手袋１０の別の構成例としては、手袋１０それ自体を光ファイバの編み込みによって構成しても良い。
【００１９】
本発明の第２の実施の形態を図３及び図４に基づいて説明する。図３は、照明機能付き手袋の甲側を示す模式図である。図４は、図３に示した照明機能付き手袋の掌側を示す模式図である。
【００２０】
本実施の形態の照明機能付き手袋は、基本構成として手袋３０を備え、その甲側３０ａに、光源としての複数の白色発光ダイオード３１ａ〜３１ｊ（３１ａ、３１ｂ、３１ｂ´、３１ｃ、３１ｃ´、３１ｄ、３１ｄ´、３１ｅ、３１ｆ、３１ｇ、３１ｈ、３１ｉ、３１ｉ´、３１ｊ）を配置している。電源部３２は、腰あるいは腕に装着するベルト３３に配置され、電源部３２と白色発光ダイオード３１ａとの間、及び、各白色発光ダイオード３１ａ〜３１ｊの間には、給電用の電線が這い回されている。電源部３２は、白色発光ダイオード３１ａ〜３１ｊを駆動制御するための図示しない回路部を内蔵している。この回路部は、例えば、白色発光ダイオード３１ａ〜３１ｊの点灯を制御するための図示しないスイッチを有している。
【００２１】
手袋３０の甲側３０ａには、白色発光ダイオード３１ａ〜３１ｊを被う導光部材としての透明樹脂製導光薄板３４が配置されている。この透明樹脂製導光薄板３４は、白色発光ダイオード３１ａ〜３１ｊを被うと共に、図４に示すように、掌側３０ｂの各指先、指の付け根及び手首部に面状の光出射部３５ａ〜３５ｉを形成している。
【００２２】
透明樹脂製導光薄板３４は、手の甲部分と親指から小指までの各指の第１関節よりも先端部分とに分割され、指の曲げ動作を規制しないように配慮されている。便宜上、図３中、親指に配置される透明樹脂製導光薄板３４を透明樹脂製導光薄板３４ａ、人差指に配置される透明樹脂製導光薄板３４を透明樹脂製導光薄板３４ｂ、中指に配置される透明樹脂製導光薄板３４を透明樹脂製導光薄板３４ｃ、薬指に配置される透明樹脂製導光薄板３４を透明樹脂製導光薄板３４ｄ、小指に配置される透明樹脂製導光薄板３４を透明樹脂製導光薄板３４ｅ、手の甲部分に配置される透明樹脂製導光薄板３４を透明樹脂製導光薄板３４ｆと表記する。
【００２３】
光出射部３５ａは、透明樹脂製導光薄板３４ａが親指の掌側３０ｂまで回り込んで形成されている。光出射部３５ｂは、透明樹脂製導光薄板３４ｂが人差指の掌側３０ｂまで回り込んで形成されている。光出射部３５ｃは、透明樹脂製導光薄板３４ｃが中指の掌側３０ｂまで回り込んで形成されている。光出射部３５ｄは、透明樹脂製導光薄板３４ｄが薬指の掌側３０ｂまで回り込んで形成されている。光出射部３５ｅは、透明樹脂製導光薄板３４ｅが小指の掌側３０ｂまで回り込んで形成されている。光出射部３５ｆは、透明樹脂製導光薄板３４ｆが親指と人差指との間の指の付け根の掌側３０ｂに回り込んで形成されている。光出射部３５ｇは、透明樹脂製導光薄板３４ｆが人差指と中指との間の指の付け根の掌側３０ｂに回り込んで形成されている。光出射部３５ｈは、透明樹脂製導光薄板３４ｆが中指と薬指との間の指の付け根の掌側３０ｂに回り込んで形成されている。光出射部３５ｉは、透明樹脂製導光薄板３４ｆが薬指と小指との間の指の付け根の掌側３０ｂに回り込んで形成されている。
【００２４】
透明樹脂製導光薄板３４ａと白色発光ダイオード３１ａ〜３１ｊとの配置関係として、親指に配置される透明樹脂製導光薄板３４ａには白色発光ダイオード３１ａが対応付けられ、人差指に配置される透明樹脂製導光薄板３４ｂには白色発光ダイオード３１ｂ及び３１ｂ´が対応付けられ、中指に配置される透明樹脂製導光薄板３４ｃには白色発光ダイオード３１ｃ及び３１ｃ´が対応付けられ、薬指に配置される透明樹脂製導光薄板３４ｄには白色発光ダイオード３１ｄ及び３１ｄ´が対応付けられ、小指に配置される透明樹脂製導光薄板３４ｅには白色発光ダイオード３１ｆが対応付けられている。また、手の甲部分に配置される透明樹脂製導光薄板３４ｆには、白色発光ダイオード３１ｆ〜３１ｊが対応付けられている。親指と人差指との間の指の付け根の部分には白色発光ダイオード３１ｆが、人差指と中指との間の指の付け根の部分には白色発光ダイオード３１ｇが、中指と薬指との間の指の付け根の部分には白色発光ダイオード３１ｈが、薬指と小指との間の指の付け根の部分には白色発光ダイオード３１ｉ及び３１ｉ´が、それぞれ配置されている。また、白色発光ダイオード３１ｊは四個設けられ、それぞれ、手の甲部分に位置付けられている。
【００２５】
透明樹脂製導光薄板３４の両面は、光を出射することがなく反射するよう、例えば塗装され、あるいは鏡面加工が施されている。透明樹脂製導光薄板３４では、光入射部分である各白色発光ダイオード３１ａ〜３１ｊの配置部分及び光出射部分である各光出射部３５ａ〜３５ｉの配置部分においてのみ、そのような鏡面加工が施されずに形成されている。これは、透明樹脂製導光薄板３４に入射されて当該透明樹脂製導光薄板３４内を反射された光が無駄なく光出射部３５ａ〜３５ｉに導かれるようにする工夫である。
【００２６】
本実施の形態では、光源としての白色発光ダイオード３１ａ〜３１ｊと、導光部材としての透明樹脂製導光薄板３４と、光出射部３５ａ〜３５ｉとが照明部を構成する。
【００２７】
このような構成において、白色発光ダイオード３１ａ〜３１ｊは、電源部３２に駆動されて発光する。白色発光ダイオード３１ａ〜３１ｊから発せられた光は、透明樹脂製導光薄板３４により導かれ、透明樹脂製導光薄板３４内を反射しながら出射することなく光出射部３５ａ〜３５ｉに導かれる。各光出射部３５ａ〜３５ｉは、前述したように、親指（光出射部３５ａ）、人差指（光出射部３５ｂ）、中指（光出射部３５ｃ）、薬指（光出射部３５ｄ）、小指（光出射部３５ｅ）、親指と人差指との間の部分（光出射部３５ｆ）、人差指と中指との間の部分（光出射部３５ｇ）、中指と薬指との間の部分（光出射部３５ｈ）、薬指と小指との間の部分（光出射部３５ｉ）において、手袋３０の掌側３０ｂに回り込んでいる。したがって、手袋３０の掌側３０ｂの指先及び指の付け根の光出射部３５ａ〜３５ｉが発光するようになり、手をどのように変形させても手袋３０の掌側３０ｂを照明することができる。
【００２８】
なお、上記光出射部の配置個所は、例えば指部分、掌部、手首部に限るようにするなど、必要に応じて変更することができる。
【００２９】
本発明の第３の実施の形態を図５に基づいて説明する。図５は、照明機能付き手袋の掌側を示す模式図である。
【００３０】
本実施の形態の照明機能付き手袋は、基本構成として手袋４０を備え、その掌側４０ｂには、指部、掌部、手首部に分けて、公知の電解発光（エレクトロ・ルミネッセンス：ＥＬ）面発光シートで構成された膜状発光体４１ａ〜４１ｈが貼付されている。膜状発光体４１ａ〜４１ｈは、図示しない電源装置から電圧が印加されることにより、面状に発光する。したがって、膜状発光体４１ａ〜４１ｈは、照明部を構成する。
【００３１】
本実施の形態では、電池、インバータ等からなる電源装置は、手袋４０の甲側、あるいは腕、腰に取り付けることができる。
【００３２】
従って、本実施の形態に係る照明機能付き手袋によれば、手袋４０の掌側４０ｂの指先、指の付け根及び手首部の膜状発光体４１ａ〜４１ｈが発光するようになり、手をどのように変形させても照明機能付き手袋４０の掌側４０ｂを照明することができる。
【００３３】
なお、上記光出射部の配置個所は、例えば指部分、掌部、手首部に限るようにするなど、必要に応じて変更することができる。
【図面の簡単な説明】
【００３４】
【図１】第１の実施の形態に係る照明機能付き手袋の甲側を示す模式図である。
【図２】図１に示した照明機能付き手袋の掌側を示す模式図である。
【図３】第２の実施の形態に係る照明機能付き手袋の甲側を示す模式図である。
【図４】図３に示した照明機能付き手袋の掌側を示す模式図である。
【図５】第３の実施の形態に係る照明機能付き手袋の甲側を示す模式図である。
【符号の説明】
【００３５】
１０…手袋
１０ａ…甲側
１０ｂ…掌側
１１…白色発光ダイオード（光源）
１３，１４…カプラ（導光部材）
２１ａ〜２１ｉ…光ファイバ（導光部材、光出射部）
３０…手袋
３０ａ…甲側
３０ｂ…掌側
３１ａ〜３１ｊ…白色発光ダイオード（光源）
３４…透明樹脂製導光薄板（導光部材）
３５ａ〜３５ｉ…光出射部
４０…手袋
４０ｂ…掌側
４１ａ〜４１ｈ…膜状発光体（薄膜型面発光体、電解発光（エレクトロ・ルミネッセンス：ＥＬ）面発光シート）
【図１】
2007154367.tif 000003
【図２】
2007154367.tif 000004
【図３】
2007154367.tif 000005
【図４】
2007154367.tif 000006
【図５】
2007154367.tif 000007